(57)【要約】【課題】ロッカーボックスをグループで利用する場合、利便性を向上させること。【解決手段】ロッカーボックス１の開錠施錠を制御する制御手段２と、ロッカーボックス１の番号に複数の利用者のＩＤ番号を対応して記憶するとともに、ＩＤ番号毎に、開錠があったかどうかを示すフラグ４３を記憶する管理テーブル８を有し、制御手段２は、複数の利用者のＩＤ番号のうち一のＩＤ番号によりロッカーボックス１の開錠を可能とし、フラグ４３が開錠を示すとき、ＩＤ番号の利用者を引取済みとする。また、当該グループ全員が、ロッカーボックス１から荷物を取り出した後は、ロッカーボックス１を次の利用者に利用可能にする。【選択図】    図1
2015064728.tif 000002
【特許請求の範囲】
【請求項１】
複数のロッカーボックスを有し、前記複数のロッカーボックスのうち任意の前記ロッカーボックスを使用させ、引取時に開錠用番号の照合によりロッカーボックスを開錠するようにした貸ロッカー装置において、
グループが属する複数の利用者にはそれぞれ異なる開錠用番号を使用させるものとし、
更に、前記ロッカーボックスの開錠施錠を制御する制御手段と、
前記ロッカーボックスの番号に前記複数の利用者の開錠用番号を対応して記憶するとともに、前記開錠用番号毎に、開錠があったかどうかを示すフラグを記憶する記憶手段を有し、
前記制御手段は、前記複数の利用者の開錠用番号のうち一の前記開錠用番号により前記ロッカーボックスの開錠を可能とし、前記フラグが開錠を示すとき、当該開錠用番号の利用者を引取済みとすることを特徴とする貸ロッカー装置。
【請求項２】
複数のロッカーボックスを有し、前記複数のロッカーボックスのうち任意の前記ロッカーボックスを使用させ、引取時に開錠用番号の照合によりロッカーボックスを開錠するようにした貸ロッカー装置において、
グループが属する複数の利用者にはそれぞれ異なる開錠用番号を使用させるものとし、
更に、前記ロッカーボックスの開錠施錠を制御する制御手段と、
前記ロッカーボックスの番号に前記複数の利用者の開錠用番号を対応して記憶する記憶手段を有し、
前記制御手段は、前記複数の利用者の開錠用番号のうち一の前記開錠用番号により前記ロッカーボックスの開錠を可能とし、前記複数の利用者の開錠用番号の全てについて前記ロッカーボックスの開錠があったとき、前記記憶手段における前記複数の利用者の開錠用番号の記憶内容を消去することを特徴とする貸ロッカー装置。
【請求項３】
前記記憶手段は、前記開錠用番号毎に、開錠があったかどうかを示すフラグを記憶し、前記制御手段は、前記フラグによって前記複数の利用者の開錠用番号の全てに開錠があったかどうかを判定することを特徴とする請求項２記載の貸ロッカー装置。
【請求項４】
前記開錠用番号がIDカードのカードIDであることを特徴とする請求項１又は２記載の貸ロッカー装置。
【請求項５】
前記開錠用番号が暗証番号であることを特徴とする請求項１又は２記載の貸ロッカー装置。
【請求項６】
前記複数の利用者の開錠用番号の全てにより前記ロッカーボックスの前記開錠があるまでは、前記一の開錠用番号により前記ロッカーボックスの複数回開錠を可能とすることを特徴とする請求項１又は２記載の貸ロッカー装置。
【発明の詳細な説明】
【技術分野】
【０００１】
本発明は、利用者にロッカーボックスを利用させる貸ロッカー装置に関するものである。
【背景技術】
【０００２】
従来、ロッカーボックスの利用については、利用者一人がロッカーボックス一つを利用することが前提であった。これに対し特開２００７−１０２２７３号公報（特許文献１）には、複数の利用者がグループでロッカーボックスを恒常的に利用できる貸しロッカーシステムが開示してある。特許文献１は、複数の利用者のグループの一人が、ICカードのIDコードを管理会社に登録する。複数の利用者のICカードのIDコードを一つのロッカーボックスに対応して集中制御装置に記憶しておく。これにより、複数の利用者のICカードにより一つのロッカーボックスを共有して利用することができる。
【先行技術文献】
【特許文献】
【０００３】
【特許文献１】特開２００７−１０２２７３号公報
【発明の概要】
【発明が解決しようとする課題】
【０００４】
しかしながら、特許文献１による技術によれば、恒常的に利用するものであるため、グループ利用の利便性に問題があった。また、一旦利用した後も当該グループが利用を継続することになるため、次の利用者の利用する機会を失ってしまうという問題点があった。
【０００５】
本発明が解決しようとする課題は、ロッカーボックスをグループで利用する場合、グループ利用の利便性を向上させるとともに、当該グループ全員が当該ロッカーボックスから荷物を取り出した後は、当該ロッカーボックスを次の利用者に利用可能にすることができる貸ロッカー装置を提供することにある。
【課題を解決するための手段】
【０００６】
上記課題を解決するために本発明に関する貸ロッカー装置は、複数のロッカーボックスを有し、前記複数のロッカーボックスのうち任意の前記ロッカーボックスを使用させ、引取時に開錠用番号の照合によりロッカーボックスを開錠するようにした貸ロッカー装置において、グループが属する複数の利用者にはそれぞれ異なる開錠用番号を使用させるものとし、更に、前記ロッカーボックスの開錠施錠を制御する制御手段と、前記ロッカーボックスの番号に前記複数の利用者の開錠用番号を対応して記憶するとともに、前記開錠用番号毎に、開錠があったかどうかを示すフラグを記憶する記憶手段を有し、前記制御手段は、前記複数の利用者の開錠用番号のうち一の前記開錠用番号により前記ロッカーボックスの開錠を可能とし、前記フラグが開錠を示すとき、当該開錠用番号の利用者を引取済みとすることを特徴とするものである。
【発明の効果】
【０００７】
上記構成を有する本発明によれば、グループが属する複数の利用者にはそれぞれ異なる開錠用番号を使用させるものとし、更に、前記ロッカーボックスの開錠施錠を制御する制御手段と、前記ロッカーボックスの番号に前記複数の利用者の開錠用番号を対応して記憶するとともに、前記開錠用番号毎に、開錠があったかどうかを示すフラグを記憶する記憶手段を有し、前記制御手段は、前記複数の利用者の開錠用番号のうち一の前記開錠用番号により前記ロッカーボックスの開錠を可能とし、前記フラグが開錠を示すとき、当該開錠用番号の利用者を引取済みとすることとした。これにより、グループに属する複数の利用者は個別に引取りを行うことができ、貸ロッカー装置のグループ利用の利便性が向上する。更に、前記複数の開錠用番号の全てにより前記ロッカーボックスが開錠されたとき、前記記憶手段における前記複数の開錠用番号の記憶内容を消去するようにしたので、当該グループ全員が、当該ロッカーボックスから荷物を取り出した後は、当該ロッカーボックスを次の利用者に利用可能にすることができるという効果を有する。
【図面の簡単な説明】
【０００８】
【図１】第１の実施の形態に関する貸ロッカー装置の外観図である。
【図２】第１の実施の形態に関する貸ロッカー装置の構成図である。
【図３】第１の実施の形態に関する貸ロッカー装置の制御部の機能ブロック図である。
【図４】第１の実施の形態に関する貸ロッカー装置のメイン処理を示すフローチャートである。
【図５】第１の実施の形態に関する貸ロッカー装置のタッチパネルの表示例を示す説明図である。
【図６】第１の実施の形態に関する貸ロッカー装置の預入処理を示すフローチャートである。
【図７】第１の実施の形態に関する貸ロッカー装置の預入処理時における管理テーブルを示す説明図である。
【図８】第１の実施の形態に関する貸ロッカー装置の引取処理を示すフローチャートである。
【図９】第１の実施の形態に関する貸ロッカー装置の引取処理時における管理テーブルを示す説明図である。
【図１０】第２の実施の形態に関する貸ロッカー装置の外観図である。
【図１１】第２の実施の形態に関する貸ロッカー装置の構成図である。
【図１２】第２の実施の形態に関する貸ロッカー装置の制御部の機能ブロック図である。
【図１３】第２の実施の形態に関する貸ロッカー装置の預入処理を示すフローチャートである。
【図１４】第２の実施の形態に関する貸ロッカー装置の引取処理を示すフローチャートである。
【発明を実施するための形態】
【０００９】
（第１の実施の形態）
以下、本発明の第１の実施の形態について説明する。図1は第１の実施の形態に関する貸ロッカー装置の外観図である。貸ロッカー装置１００は、複数のロッカーボックス１と、貸ロッカー装置１００の前面中央に設けられた制御部２を有する。制御部２は利用者が操作するタッチパネル４、利用者の所持するＩＤカードとの電波を送受信するカードリーダライタ５、レシートを印刷するプリンタ９等を有する。
【００１０】
ロッカーボックス１は扉３を有し、扉３を前面にして複数のロッカーボックス１が積み重ねられている形状を有する。ロッカーボックス１の扉３には、一連の番号＃１〜＃１６が表示されている。ロッカーボックス１の内部は、制御部２からの制御信号により扉３の施錠開錠を行う施錠装置６と、扉３の開閉状態を検出する扉開閉検出スイッチ７を備えている。利用者は、複数のロッカーボックス１のうち、空いているロッカーボックス１があるときは、任意の一つを選択して使用することができる。
【００１１】
図２は第１の実施の形態に関する貸ロッカー装置の構成図である。制御部２はパーソナルコンピュータからなり、各部と接続され、かつ内蔵されたプログラムによって動作する。タッチパネル４は、利用者の操作に必要な各種の選択ボタンを表示し、利用者の選択ボタンの押下を検出すると制御部２へ通知する。カードリーダライタ５は、利用者がＩＤカードを当該カードリーダライタ５へかざすと、ＩＤカードに格納されたカードＩＤとしてのＩＤ番号を後述する開錠用番号として受信する。ＩＤカードに格納されたカードＩＤは、当該ＩＤカード固有の番号である。また、ＩＤカードに格納されている金額データを受信し、使用料を差し引いた金額データをＩＤカードへ送信することにより使用料の徴収を行う。なお、本実施の形態では、ＩＤカードは非接触でデータを送受信するＩＣカードである。しかしながらこれに限るものではなく、磁気カードでもよく、二次元バーコードでもよい。
【００１２】
施錠装置６は、利用者の荷物の預入処理のとき、利用者によるＩＤ番号の入力及び使用料の支払の操作が完了すると、ロッカーボックス１の扉３を施錠する。そして、荷物の引取処理のとき、利用者によるＩＤ番号の入力の操作が完了すると、ロッカーボックス１の扉３を開錠する。扉開閉検出スイッチ７は荷物をロッカーボックス１に入れた後、利用者が扉３を閉じたことを検出する。記憶装置８は、ロッカーボックス１の番号と、開錠用番号としてのＩＤカードのＩＤ番号を対応して記憶するとともに、ＩＤ番号毎に荷物の返却のために開錠されたか、されていないかを示す返却フラグを記憶する。プリンタ９が印刷するレシートは、後述するように利用したロッカーボックス１の番号等の情報が印刷される。
【００１３】
図３は第１の実施の形態に関する貸ロッカー装置の制御部の機能ブロック図である。操作表示制御部１４は装置制御部２０の指示により、タッチパネル４の動作を指示する。読取書込制御部１５は装置制御部２０の指示により、カードリーダライタ５の動作を指示する。施錠開錠制御部１６は装置制御部２０の指示により、施錠装置６の施錠動作を指示する。そして、引取処理のときは、開錠用番号としてのＩＤ番号の照合により一致していれば、施錠装置６に対し開錠動作を指示する。
【００１４】
センサ検知制御部１７は装置制御部２０の指示により、扉開閉検知スイッチ７の動作を指示する。そして、センサ検知制御部１７は、扉開閉検知スイッチ７を検出することにより何番のロッカーボックス１が閉じられたかを検知する。メモリ制御部１８は装置制御部２０の指示により、記憶装置８の動作を指示する。プリンタ制御部１９は装置制御部２０の指示により、プリンタ９の動作を指示する。人数判定部２１は装置制御部２０の指示により、グループ利用の場合、利用者がかざしたＩＤカードの数が利用者の指定した利用人数に一致するかどうか判定する。ＩＤ登録照合部２２は装置制御部２０の指示により、利用者がかざしたＩＤカードのＩＤ番号が記憶装置８の管理テーブル４０に格納されているかどうか照合する。
【００１５】
次に、第１の実施の形態に関する貸ロッカー装置１００の動作を説明する。図４は第１の実施の形態に関する貸ロッカー装置のメイン処理を示すフローチャートである。
Ｓ１０１：装置制御部２０は操作表示制御部１４に対し、タッチパネル４にメインメニュー画面３１を表示するよう指示する。図５は第１の実施の形態に関する貸ロッカー装置のタッチパネルの表示例を示す説明図である。図５（ａ）はメインメニュー画面３１を示す。メインメニュー画面３１は「いずれかのボタンを選択してください」と表示され、預入ボタン３１−１及び引取ボタン３１−２が表示される。
【００１６】
Ｓ１０２：装置制御部２０は操作表示制御部１４に対し、預入ボタン３１−１又は引取ボタン３１−２のいずれが押下されたか検知するよう指示する。
Ｓ１０３：預入ボタン３１−１が押下されたとき、即ち、装置制御部２０が操作表示制御部１４からの預入ボタン３１−１の押下を示す信号を受信すると、装置制御部２０は預入処理を行う。預入処理の詳細は図６において説明する。
【００１７】
Ｓ１０４：引取ボタン３１−２が押下されたとき、即ち、装置制御部２０が操作表示制御部１４からの引取ボタン３１−２の押下を示す信号を受信すると、装置制御部２０は引取処理を行う。引取処理の詳細は図８において説明する。
【００１８】
図６は第１の実施の形態に関する貸ロッカー装置の預入処理を示すフローチャートである。
Ｓ２０１：メインメニュー画面３１において預入ボタン３１−１が押下されると、装置制御部２０は操作表示制御部１４に対し、タッチパネル４に利用人数入力画面３２を表示するよう指示する。図５（ｂ）は利用人数入力画面３２を示す。利用人数入力画面３２は「預け入れする人数を選択してください」と表示され、一人で利用する場合に押下する１人ボタン並びにグループで利用する場合に押下するテンキー３２−２及び押下した結果を表示する複数人数表示部３２−３が表示される。ここでは仮に「３」名を入力したとする。
【００１９】
Ｓ２０２：装置制御部２０は操作表示制御部１４に対し、タッチパネル４に入力された利用人数を受信するよう指示する。以下、仮に利用者Ａ、Ｂ及びＣの３名によるグループ利用の場合について説明する。
【００２０】
Ｓ２０３：ここで利用者がロッカーボックス１に荷物を入れていないときは、操作表示制御部１４に対し、タッチパネル４に利用者に荷物を入れることを促す図示しない荷物預入画面を表示するよう指示する。そして、装置制御部２０はセンサ検知制御部１７に対し、利用者が開閉したロッカーボックス１の番号を通知するよう指示する。更に、装置制御部２０は操作表示制御部１４に対し、タッチパネル４に利用者が使用するロッカーボックス１の番号の確認表示と、ＩＤカードの読取画面３３を表示するよう指示する。図５（ｃ）は預入処理のＩＤカード読取画面３３を示す。ＩＤカード読取画面３３は「預け入れするロッカーは２番ですね」「よろしければＩＤカードを読取機の前にかざしてください」「使用料を徴収します」と表示される。
【００２１】
Ｓ２０４：一人目の利用者ＡがＩＤカードをカードリーダライタ５にかざすと、装置制御部２０は読取書込制御部１５に対し、カードリーダライタ５がＩＤカードからカードＩＤとしてのＩＤ番号を読み取り、そして、金額データから使用料を差し引くよう指示する。これにより、一人目の利用者Ａから暗証番号としてのＩＤ番号を入手し、使用料を徴収することができる。
【００２２】
Ｓ２０５：装置制御部２０は読取書込制御部１５からのＩＤ番号を受信すると、ＩＤ登録照合部２２に対し、当該ＩＤ番号が記憶装置８の管理テーブル４０に格納されているかどうか照合するよう指示する。登録済みであるときは、ステップ２０３に戻り、登録済みでないときは次へ移行する。
【００２３】
Ｓ２０６：装置制御部２０は人数判定部２１に対し、利用者がかざしたＩＤカードの数が、ステップ２０２で受信した利用人数に一致するかどうか判定するよう指示する。一致していないときは、ステップ２０３に戻り、二人目の利用者ＢにＩＤカードの読み取りを促す。一致しているときは、次へ移行する。
【００２４】
Ｓ２０７：利用者Ａ、Ｂ及びＣの３名分のＩＤデータが揃ったら、装置制御部２０はメモリ制御部１８に対し、人数分のＩＤ番号と、ステップ２０３で確認したロッカーボックス１の番号とを対応させて記憶装置８へ記憶するよう指示する。図７は第１の実施の形態に関する貸ロッカー装置の預入処理時における管理テーブルを示す説明図である。管理テーブル４０は記憶装置８に記憶される。管理テーブル４０は、ＩＤカードより読取った利用者のＩＤ番号を格納するＩＤ番号欄４１、ＩＤ番号欄４１毎に利用者が利用するロッカーボックス１の番号を格納するロッカー番号欄４２、利用者及びロッカーボックス１毎の使用状況を示す返却フラグ欄４３及び使用開始日時を格納する預かり日時欄４４を有する。
【００２５】
返却フラグ欄４３は、荷物の返却のために開錠されたか、されていないか示す。返却フラグ欄４３は開錠されていなければＦＡＬＳＥのままであり、一旦開錠されていればＴＲＵＥに更新される。換言すれば、ＦＡＬＳＥは、当該利用者がロッカーボックス１を使用している状態であること、即ち預入処理の後、当該利用者がロッカーボックス１を開錠していない状態を意味する。また、ＴＲＵＥは当該利用者がロッカーボックス１から荷物を引き取った状態であること、即ち預入処理後、当該利用者がロッカーボックス１を開錠したことがある状態を意味する。このように管理テーブル４０において、利用者毎に返却フラグ欄４３をＦＡＬＳＥからＴＲＵＥに更新するようにしたので、貸ロッカー装置１００のグループ利用の利便性が向上するための一助とすることができる。
【００２６】
図７において、グループ使用している利用者Ａ、Ｂ及びＣのＩＤ番号はそれぞれ０００３、００１０及び０８３７であり、３名ともロッカー番号２番のロッカーボックス１をグループ利用している。そして、預かり日時が２０１３年９月１日の１０時０１分から、現在まで利用中であることを示す。なお、その他のＩＤ番号に関する返却フラグ欄４３及び預かり日時欄４４については図示を省略する。
【００２７】
Ｓ２０８：その後、装置制御部２０は施錠開錠制御部１６に対し、２番のロッカーボックス１の施錠装置６をロックするよう指示する。
Ｓ２０９：そして、装置制御部２０はプリンタ制御部１９に対し、プリンタ９によりレシートを印刷するよう指示する。レシートには、ロッカーボックス１のロッカー番号、預かり日時、使用料及びＩＤ番号の一部等が印字される。
【００２８】
次に、引取処理について説明する。図８は第１の実施の形態に関する貸ロッカー装置の引取処理を示すフローチャートである。前述のとおり利用者Ａ、Ｂ及びＣによるグループ利用において、利用者Ｂのみが先に引取処理を行う場合について説明する。
Ｓ３０１：前述の図４のメイン処理を示すフローチャートのステップ１０４において、利用者Ｂにより引取ボタン３１−２が押下されると、装置制御部２０は操作表示制御部１４に対し、ＩＤカードの読取画面３４を表示するよう指示する。図５（ｄ）は引取処理のＩＤカード読取画面３４を示す。ＩＤカード読取画面３４は「ＩＤカードを読取機の前にかざしてください」と表示される。
【００２９】
Ｓ３０２：引取時一人目の利用者ＢがＩＤカードをカードリーダライタ５にかざすと、装置制御部２０は読取書込制御部１５に対し、カードリーダライタ５がＩＤカードからカードＩＤとしてのＩＤ番号を読み取るよう指示する。これにより、利用者ＢからＩＤ番号（ここでは００１０とする）を入手することができる。
【００３０】
Ｓ３０３：装置制御部２０は読取書込制御部１５からのＩＤ番号を受信すると、ＩＤ登録照合部２２に対し、当該ＩＤ番号が記憶装置８の管理テーブル４０に格納されているかどうか照合するよう指示する。登録されていないときは終了し、登録済みであるときは次へ移行する。
【００３１】
Ｓ３０４：装置制御部２０はメモリ制御部１８に対し、管理テーブル４０に格納されている当該ＩＤ番号に対応するロッカーボックス１のロッカー番号２番を読み出すよう指示する。そして、装置制御部２０は操作表示制御部１４に対し、ロッカー番号確認画面３５を表示するよう指示する。図５（ｅ）は引取処理のロッカー番号確認画面３５を示す。ロッカー番号確認画面３５は「ご利用になったロッカー番号は２番でよろしいですか」と表示され、はいボタン３５−１及びいいえボタン３５−２が表示される。なお、ロッカー番号確認画面３５の替わりに、ロッカーボックス１にフリッカーランプ設け、２番のロッカーボックス１のフリッカーランプを点滅させてもよい。
【００３２】
Ｓ３０５：ロッカー番号確認画面３５のはいボタン３５−１が押下されると次へ移行し、いいえボタン３５−２が押下されるか又は押下なしでタイムアウトになると終了する。
Ｓ３０６：利用者Ｂによる確認ボタンとしてのはいボタン３５−１が押下されると、装置制御部２０はメモリ制御部１８に対し、管理テーブル４０を更新するよう指示する。図９は第１の実施の形態に関する貸ロッカー装置の引取処理時における管理テーブルを示す説明図である。同図に示すように、管理テーブル４０における利用者ＢのＩＤ番号（００１０）及びロッカー番号２番に対応して格納されている返却フラグ欄４３のＦＡＬＳＥをＴＲＵＥに更新するよう指示する。これにより、利用者Ｂは引取済みとすることができる。
【００３３】
Ｓ３０７：その後、装置制御部２０はメモリ制御部１８に対し、管理テーブル４０に格納されているロッカー番号２番の返却フラグ欄４３にＦＡＬＳＥがあるかどうかチェックする。ＦＡＬＳＥがいなければ、即ち、全員ＴＲＵＥであれば、全員の荷物の引取りが完了している場合であり、その場合はステップ３１０へ移行する。この例の場合はまだ利用者Ａ及びＣが残っているので次へ移行する。
【００３４】
Ｓ３０８：装置制御部２０は操作表示制御部１４に対し、引取希望確認画面３６を表示するよう指示する。図５（ｆ）は引取処理の引取希望確認画面３６を示す。引取希望確認画面３６は「ほかに今、引取りをご希望の方はいますか」と表示され、はいボタン３６−１及びいいえボタン３６−２が表示される。
Ｓ３０９：引取希望確認画面３６ではいボタン３６−１が押下される場合はステップ３０１へ戻り、いいえボタン３６−２が押下される場合は次へ移行する。
【００３５】
Ｓ３１０：この状態は、ステップ３０９でいいえボタン３６−２が押下される場合、即ちこの時点で、引取りを希望する利用者が他にいない場合、及びステップ３０７でロッカー番号２番の返却フラグ欄４３にＦＡＬＳＥがいない場合、即ち、全員の荷物の引取りが完了している場合である。この場合、装置制御部２０は施錠開錠制御部１６に対し、ロッカー番号２番のロッカーボックス１の施錠装置６を開錠するよう指示する。これにより利用者Ｂはロッカー番号２番のロッカーボックス１から自分の荷物を引き取ることができる。
【００３６】
Ｓ３１１：装置制御部２０はメモリ制御部１８に対し、管理テーブル４０に格納されているロッカー番号２番の返却フラグ欄４３は全てＴＲＵＥかどうかチェックするよう指示する。全てＴＲＵＥの場合、即ち、当該利用者全員がロッカーボックス１を開錠したことがあるので、全員の荷物の引取りが完了しているとしてステップ３１４へ移行する。そして、全てＴＲＵＥではない場合、即ち、利用者Ｂのみが完了したが、利用者Ａ及びＣはロッカーボックス１を開錠していないので、引取りが済んでいないとしてステップ３１２へ移行する。
【００３７】
Ｓ３１２：装置制御部２０はセンサ検知制御部１７に対し、扉開閉検出スイッチ７がロッカー番号２番のロッカーボックス１の扉３が閉じられたことを検出したかどうかチェックするよう指示する。
Ｓ３１３：利用者Ｂによりロッカー番号２番のロッカーボックス１の扉３が閉じられると、装置制御部２０は施錠開錠制御部１６に対し、２番のロッカーボックス１の施錠装置６をロックするよう指示する。
【００３８】
Ｓ３１４：この状態は全員の荷物の引取りが完了している場合である。ここでは、２番のロッカーボックス１の施錠装置６のロックは掛けない。装置制御部２０はメモリ制御部１８に対し、管理テーブル４０の消去処理を行うよう指示する。管理テーブル４０の消去処理は、管理テーブル４０に格納されているロッカー番号２番に対応するＩＤ番号欄４１の内容及び返却フラグ欄４３の内容を消去することである。これには、ＩＤ番号欄４１の内容そのものの消去を含む。更にＩＤ番号欄４１及びロッカー番号欄４２の対応関係の消去を含む。要するにロッカー番号２番について、当該グループ以外の次の利用者が利用できる記憶内容にすることである。これにより、グループ利用が済んだ後に、当該グループ以外の次の利用者が当該ロッカー番号２番を利用することができる。
【００３９】
以上、第１の実施の形態によれば、管理テーブル４０において、利用者毎に返却フラグ欄４３を設け、開錠があったときＦＡＬＳＥからＴＲＵＥに更新するようにしたので、貸ロッカー装置１００のグループ利用の利便性が向上するための一助とすることができる。また、グループ利用者の開錠用番号としてのＩＤ番号の全てについてロッカーボックス１が開錠されたとき、前記記憶装置８におけるグループ利用者のＩＤ番号の記憶内容を消去するようにした。これにより、当該グループ全員が当該ロッカーボックス１から荷物を取り出した後は、当該ロッカーボックス１を次の利用者に利用可能にすることができるという効果を有する。
【００４０】
（第２の実施の形態）
次に第２の実施の形態について説明する。第１の実施の形態では使用料の支払はＩＤカードによる支払であったが、第２の実施の形態ではＩＤカードの他に現金による支払も可能とするカード・現金両用機に関するものである。
【００４１】
図１０は第２の実施の形態に関する貸ロッカー装置の外観図である。第１の実施の形態と異なるところは、貸ロッカー装置２００の制御部２に現金処理装置２５を有する点である。同図では現金処理装置２５は硬貨入金口を示すが、紙幣投入口であってもよい。その他は第１の実施の形態と同様であるので説明を省略する。
【００４２】
図１１は第２の実施の形態に関する貸ロッカー装置の構成図である。貸ロッカー装置２００の現金処理装置２５は、利用者によって投入された現金を受入れ、計数して、制御部２へ通知する。また、釣銭機能を有するものであってもよい。その他の構成は第１の実施の形態と同様であるので説明を省略する。
【００４３】
図１２は第２の実施の形態に関する貸ロッカー装置の制御部の機能ブロック図である。現金処理制御部３５は装置制御部２０の指示により、現金処理装置２５に対し、利用者が投入した現金を受入れ、投入金額を計数させる。そして、結果を装置制御部２０に通知する。暗証番号作成部３７は、利用者がＩＤカードを使わずに現金で利用する場合、利用者が引取時に使用する開錠用番号としての暗証番号を自動で作成する。当該暗証番号は預入処理時に印刷するレシートに印刷される。利用者は引取時にそのレシートに印字された暗証番号を見て、暗証番号入力を行うことができる。その他の構成は第１の実施の形態と同様であるので説明を省略する。
【００４４】
次に、第２の実施の形態に関する貸ロッカー装置２００の動作を説明する。第２の実施の形態に関する貸ロッカー装置２００のメイン処理を示すフローチャートは図４と同じである。図１３は第２の実施の形態に関する貸ロッカー装置の預入処理を示すフローチャートである。
【００４５】
Ｓ４０１：図４に示すステップ１０３の預入処理において、図５（ａ）に示すメインメニュー画面３１の預入ボタン３１−１が押下されると、装置制御部２０は操作表示制御部１４に対し、タッチパネル４にＩＤカードによる支払いか、現金による支払いか選択する画面を表示するよう指示する。ここでＩＤカードによる支払いが利用者により選択されると、前記第１の実施の形態と同じであるので説明を省略する。現金による支払が選択されると次へ移行する。
【００４６】
Ｓ４０２：装置制御部２０は操作表示制御部１４に対し、タッチパネル４に利用人数入力画面３２を表示するよう指示する。利用人数入力画面３２は図５（ｂ）と同じである。ここでは仮に利用者は、「３」名を入力したとする。
Ｓ４０３：装置制御部２０は操作表示制御部１４に対し、タッチパネル４に入力された利用人数を受信するよう指示する。以下、利用者Ａ、Ｂ及びＣの３名によるグループ利用の場合について説明する。
【００４７】
Ｓ４０４：ここで利用者がロッカーボックス１に荷物を入れていないときは、装置制御部２０は操作表示制御部１４に対し、タッチパネル４に利用者に荷物を入れることを促す図示しない荷物預入画面を表示するよう指示する。そして、装置制御部２０はセンサ検知制御部１７に対し、利用者が開閉したロッカーボックス１の番号を通知するよう指示する。更に、装置制御部２０は操作表示制御部１４に対し、タッチパネル４に利用者が使用するロッカーボックス１の番号の確認表示と、現金の投入を促す図示しない現金投入画面を表示するよう指示する。これにより、一人目の利用者Ａから使用料を徴収することができる。
【００４８】
Ｓ４０５：装置制御部２０は現金処理制御部３５に対し、現金処理装置２５が利用者の投入した現金を計数するよう指示する。
Ｓ４０６：装置制御部２０は人数判定部２１に対し、使用料を投入した利用者の数が、ステップ４０３で受信した利用人数に一致するかどうか判定するよう指示する。一致していないときは、ステップ４０４に戻り、使用料の投入を促す。一致しているときは次へ移行する。
【００４９】
Ｓ４０７：利用者Ａ、Ｂ及びＣの３名分の使用料が揃ったら、装置制御部２０は暗証番号作成部３７に対し、３名分の開錠用番号としての暗証番号を作成するよう指示する。そして、装置制御部２０はメモリ制御部１８に対し、３名分の暗証番号と、ステップ４０４で確認したロッカーボックス１の番号とを対応させて記憶装置８の管理テーブル４０へ記憶するよう指示する。第２の実施の形態に関する貸ロッカー装置２００の預入処理時における管理テーブル４０は図７と同じである。ただし、ＩＤ番号欄４１は、暗証番号欄と読み替えるものとする。
【００５０】
Ｓ４０８：その後、装置制御部２０は施錠開錠制御部１６に対し、２番のロッカーボックス１の施錠装置６をロックするよう指示する。
Ｓ４０９：そして、装置制御部２０はプリンタ制御部１９に対し、プリンタ９によりレシートを印刷するよう指示する。レシートには、ロッカーボックス１のロッカー番号、預かり日時、使用料及び暗証番号作成部３７が作成した暗証番号等が印字される。
【００５１】
図１４は第２の実施の形態に関する貸ロッカー装置の引取処理を示すフローチャートである。前述と同様に利用者Ａ、Ｂ及びＣによるグループ利用において、利用者Ｂのみが先に引取処理を行う場合について説明する。
【００５２】
Ｓ５０１：前述の図４に示すメイン処理のフローチャートのステップ１０４において、利用者Ｂにより引取ボタン３１−２が押下されると、装置制御部２０は操作表示制御部１４に対し、タッチパネル４にＩＤカードによる引取りか、暗証番号による引取りか選択する画面を表示するよう指示する。ここでＩＤカードによる引取りが利用者により選択されると、前記第１の実施の形態と同じであるので説明を省略する。暗証番号による引取りが選択されると次へ移行する。
【００５３】
Ｓ５０２：装置制御部２０は操作表示制御部１４に対し、暗証番号の入力を促す画面を表示するよう指示する。暗証番号の入力を促す画面は「暗証番号を入力してください」と表示され、暗証番号を入力するためのテンキーが表示される。暗証番号の入力を促す画面は図示を省略する。
【００５４】
Ｓ５０３：引取時一人目の利用者Ｂが、レシートに印字された暗証番号を入力すると、装置制御部２０はＩＤ登録照合部２２に対し、当該暗証番号が記憶装置８の管理テーブル４０に格納されているかどうか照合するよう指示する。
Ｓ５０４：登録されていないときは終了し、登録済みであるときは次へ移行する。
【００５５】
Ｓ５０５：装置制御部２０はメモリ制御部１８に対し、管理テーブル４０に格納されている当該暗証番号に対応するロッカーボックス１のロッカー番号２番を読み出すよう指示する。そして、装置制御部２０は操作表示制御部１４に対し、ロッカー番号確認画面３５（図５（ｅ）参照）を表示するよう指示する。ロッカー番号確認画面３５は「ご利用になったロッカー番号は２番でよろしいですか」と表示され、はいボタン３５−１及びいいえボタン３５−２が表示される。
【００５６】
Ｓ５０６：ロッカー番号確認画面３５のはいボタン３５−１が押下されると次へ移行し、いいえボタン３５−２が押下されるか又は押下なしでタイムアウトになると終了する。
Ｓ５０７：利用者Ｂによる確認ボタンとしてのはいボタン３５−１が押下されると、装置制御部２０はメモリ制御部１８に対し、管理テーブル４０に格納されている当該利用者Ｂの暗証番号（００１０）及びロッカー番号２番に対応して格納されている返却フラグ欄４３をＦＡＬＳＥからＴＲＵＥに更新するよう指示する。
以下ステップ５０８から５１５は、第１の実施の形態におけるステップ３０７から３１４と同じであるので説明を省略する。
【００５７】
以上、第２の実施の形態によれば、グループ利用者が現金によって本発明に係る貸ロッカー装置２００を利用することができるとともに、グループ利用者の暗証番号の全てについてロッカーボックス１が開錠されたとき、前記記憶装置８におけるグループ利用者の暗証番号の記憶内容を消去するようにした。これにより、当該グループ全員が、当該ロッカーボックス１から荷物を取り出した後は、当該ロッカーボックス１を次の利用者に利用可能にすることができる。
【００５８】
（変形例）
第１及び第２の実施の形態では、引取時一人目の利用者Ｂは、一度開錠すると返却フラグをＴＲＵＥに更新される。従って、利用者Ｂは二度目の開錠はできない説明であるが、これに限らない。即ち、管理テーブル４０の消去処理の行われるまではＩＤ番号がロッカー番号に対応して格納されているので、これを利用すれば、二度目以降の開錠は可能となる。第１の実施の形態に基づき詳述すると、利用者Ｂの二度目の引取りのとき、図８のステップ３０３で管理テーブル４０をチェックする。そのとき、利用者Ｂ（ＩＤ番号００１０）の返却テーブル欄４３はＴＲＵＥである。そして、装置制御部２０は操作表示制御部１４に対し、ロッカー番号確認画面３５を表示するよう指示する。ロッカー番号確認画面３５では「二度目ですが、２番のロッカーを開きますか？」と表示し、はいボタン３５−１の押下のときのみ開錠する。このようにすれば、利用者Ｂはグループの他の利用者全員が開錠するまでは、荷物の出し入れを複数回可能とすることができる。これにより貸ロッカー装置１００のグループ利用の利便性が向上するという効果を有する。
【符号の説明】
【００５９】
１        ロッカーボックス
２        制御部
４        タッチパネル
５        カードリーダライタ
６        施錠装置
７        扉開閉検出スイッチ
４０      管理テーブル
４１      ＩＤ番号欄
４２      ロッカー番号欄
４３      返却フラグ欄
１００    貸ロッカー装置
【図１】
2015064728.tif 000003
【図２】
2015064728.tif 000004
【図３】
2015064728.tif 000005
【図４】
2015064728.tif 000006
【図５】
2015064728.tif 000007
【図６】
2015064728.tif 000008
【図７】
2015064728.tif 000009
【図８】
2015064728.tif 000010
【図９】
2015064728.tif 000011
【図１０】
2015064728.tif 000012
【図１１】
2015064728.tif 000013
【図１２】
2015064728.tif 000014
【図１３】
2015064728.tif 000015
【図１４】
2015064728.tif 000016